(57)【特許請求の範囲】
【請求項１】
容器内に配されるお湯、または容器内に注ぎ込まれた水を昇温させたお湯からなる液体加温手段の熱により加熱する食品を収納する包装用容器において、
情報を機械読取可能なパターンにして備えている第一印刷層と前記第一印刷層が設けられる領域を含む領域に設けられる第二印刷層とが積層されて、前記第一印刷層と第二印刷層との何れか一方の層が前記食品が加温されるときの容器温度の温度変化によって食品加温前の容器温度での色とは異なる色に変色するインキで印刷した印刷層であって、前記インキの変色前には第一印刷層と第二印刷層との色彩が同色で第二印刷層の形成領域で前記第一印刷層の情報が非現出状態とされ、前記インキの食品加温時の変色により第一印刷層と第二印刷層との色彩が相違して第二印刷層の形成領域から前記第一印刷層の情報が機械読取可能に現出する情報隠蔽部を、
容器外表面に有していて、
前記第二印刷層が容器外表面に配され、この第二印刷層の上に前記第一印刷層が積層されていることを特徴とする包装用容器。
【請求項２】
上記第一印刷層が、上記インキで印刷してなる印刷層である請求項１に記載の包装用容器。
【請求項３】
上記第二印刷層が、上記インキで印刷してなる印刷層である請求項１に記載の包装用容器。
【発明の詳細な説明】
【技術分野】
【０００１】
本発明は、携帯電話でのカメラ撮影で得られた画像の処理などでの機械読取することができる情報を備えた包装用容器に関するものである。
【背景技術】
【０００２】
従来からお湯を入れて食することのできる麺類食品を収容した包装用容器として紙製のものが多く利用されている。そして、周面に断熱シートを配し、その断熱シートの表面に、お湯を注ぎ入れたことによる温度変化で変色する印刷層を設け、変色によって「湯入れすぎ注意」などの情報を表示する工夫が提案されている（特許文献１）。
【特許文献１】特開２００３−０９５３４９号公報
【発明の開示】
【発明が解決しようとする課題】
【０００３】
ところで従来、缶飲料やスナック菓子、カップ面などの商品においては販売促進を目的として各種キャンペーンを催すことが行なわれていたが、商品メーカー側がインターネット上にキャンペーン用のウェブサイトを立ち上げ、商品購入者が簡単に閲覧できるようにその商品にＵＲＬなどのアクセス情報を設けるようにすることが多くなってきて、アクセス情報が印刷されたシールを商品に貼り付けるようにすることがその一例としてある。
さらに近年においては、個々の商品それぞれに対して重複することのない情報を二次元コードとして印刷することができるようになってきたこと、そして、この二次元コードに携帯電話のカメラ撮影によるコード読取機能が対応するようになってきたことから、インターネット上でのキャンペーン展開に際し、商品購入者が携帯電話を利用してキャンペーン用のウェブサイトに正規の購入者としてアクセスして、キャンペーン情報などを閲覧できるようにしたいと考えられていて、このような形態のキャンペーンの運営に関し、流通させた商品の外面にユニークな二次元コードをそのまま設けた場合、非購入者が店舗来店時に携帯電話のカメラにてその商品の二次元コードを撮影してアクセス情報などを読み込んでしまう可能性があり、これを防ぎたいとの要望がある。
そこで本発明は上記事情に鑑み、二次元コードが設けられている部分を暖めるという簡単な方法にてその二次元コードが機械読取可能な状態で現出させることを課題とし、店舗陳列時などの状態ではその商品が備えた二次元コードが機械読取できず、正規商品購入者が商品から簡単にして適正にキャンペーン情報などを得られるようにすることを目的とする。
【課題を解決するための手段】
【０００４】
本発明は上記課題を考慮してなされたもので、容器内に配されるお湯、または容器内に注ぎ込まれた水を昇温させたお湯からなる液体加温手段の熱により加熱する食品を収納する包装用容器において、情報を機械読取可能なパターンにして備えている第一印刷層と前記第一印刷層が設けられる領域を含む領域に設けられる第二印刷層とが積層されて、前記第一印刷層と第二印刷層との何れか一方の層が前記食品が加温されるときの容器温度の温度変化によって食品加温前の容器温度での色とは異なる色に変色するインキで印刷した印刷層であって、前記インキの変色前には第一印刷層と第二印刷層との色彩が同色で第二印刷層の形成領域で前記第一印刷層の情報が非現出状態とされ、前記インキの食品加温時の変色により第一印刷層と第二印刷層との色彩が相違して第二印刷層の形成領域から前記第一印刷層の情報が機械読取可能に現出する情報隠蔽部を、容器外表面に有していて、前記第二印刷層が容器外表面に配され、この第二印刷層の上に前記第一印刷層が積層されていることを特徴とする包装用容器を提供して、上記課題を解消するものである。
【０００５】
そして、本発明において、上記第一印刷層が、上記インキで印刷してなる印刷層とすることが可能である。
また、本発明において、上記第二印刷層が、上記インキで印刷してなる印刷層とすることが可能である。
【発明の効果】
【０００７】
（請求項１の発明）
本発明によれば、本包装用容器を用いた商品を一般店舗で陳列している状態などのように容器内の食品に対する加温が行なわれていないときには、情報隠蔽部において情報そのものが現出していないため、その情報に対する機械読取できず、正規な商品購入者がお湯にて容器内の食品を加温したときに、前記情報隠蔽部で情報が表れてこれを機械読取することができ、購入前の不正な情報の読み取りを防止することができる。そして、第二印刷層の上に第一印刷層を積層しているので、この第一印刷層の情報のパターンがより明確なものとなる。
（請求項２の発明）
そして、情報をパターンとして有する上記第一印刷層を、加温により変色する上記インキで印刷してなる印刷層とすれば、その第一印刷層が変色し始める時点で情報の位置が判断し易くなる。
（請求項３の発明）
そして、第一印刷層を設ける領域を含んでいる第二印刷層を、加温により変色するインキで印刷してなる印刷層とすれば、第一印刷層の情報の形状などに関わりなく、第二印刷層自体の変色を見た目で楽しみ易い外形形状のものとすることができる。
【発明を実施するための最良の形態】
【０００８】
つぎに本発明に至るためになした検討の技術と本発明とを図に基づいて詳細に説明する。
まず、検討技術について説明する。図中１は包装用容器で、該包装用容器１は、カップ状の紙製容器本体２に、液体加熱手段としてお湯を用いてそのお湯の注ぎ込みによる湯漬けと加温とで食することができるように事前に調理された食品を収容物として収容し、蓋材３で閉じられたものである。
そして、包装用容器１の紙製容器本体２における胴部外周面４には、図示はしていないが通常の商品と同様に絵柄などが印刷されている。さらに前記胴部外周面４には、底面より上方の高さ位置であって、注ぎ込むお湯の量を示す湯量指示位置（例えば胴部内周面に亘る段差）より下方とした高さ位置の範囲に情報隠蔽部５が設けられている。即ち、情報隠蔽部５は、本包装用容器１を利用した商品を購入し、食するに際して蓋材３を開いてお湯を注ぎ込んだときに、商品陳列状態時などでの温度に対してある程度高い温度（例えば４０℃位）以上に容器温度が確実に昇温する部分に配置されている。
【０００９】
図２は情報隠蔽部５を断面で示している。図示されているように紙製容器本体２の胴部材６の外表面側に絵柄印刷層７を設けて胴部外周面４が形成されていて、この情報隠蔽部５は、前記絵柄印刷層７の上にある第一印刷層８と、少なくともこの第一印刷層８が設けられている領域を含む領域であって第一印刷層８を覆って保護している第二印刷層９とを積層して設けられているものである。
情報隠蔽部５の前記第一印刷層８は、インターネット上のキャンペーンサイトへのアクセス方法を示すＵＲＬやそのキャンペーンサイトの運営組織に電子メールを送信するに用いるメールアドレス、さらにこれに加えてユニーク値（唯一無二の値）としたシリアルナンバーなどから構成されている情報を、機械読取可能な二次元コードなどのパターンにして備えているもので、携帯電話のカメラによる撮影画像を処理して情報を取り込む機能に対応したパターンとしている。勿論、第一印刷層８の色彩も携帯電話の前記取り込み機能に対応するインキを用いて機械読取可能な状態で印刷形成されているものである。
また、第二印刷層９は、紙製容器本体２にお湯を注ぎ込む前の温度からお湯の注ぎ込みによる加温がなされる温度変化によってお湯注ぎ込み前温度での色とは異なる色に変色するインキを用いて印刷形成されているもので、上述したように少なくとも第一印刷層８を覆うように印刷されて、この第二印刷層形成領域の内側に第一印刷層８が位置するようにしてる。そして、この第二印刷層９のインキは、お湯を注ぎ込む前の温度（通常の居室内温度）のときには第一印刷層８を目視不能にして、機械読取も行なえないように第二印刷層形成領域で第一印刷層８の情報が非現出状態となる色彩であって、また、お湯の注ぎ込みによって内側からの熱によって容器温度が昇温して第二印刷層９が加温されるように情報隠蔽部５全体が昇温し、例えば約４０℃以上に昇温したときに第二印刷層９のインキが変色して、第二印刷層形成領域内で前記第一印刷層８が有する情報が、目視可能であって携帯電話による前記情報の機械読取ができる状態に現出するように設けられている。
このように情報隠蔽部５では、お湯を入れない通常の温度環境の状態では情報が現出せず、また、お湯を注ぎ込んだときに紙製容器本体２の胴部外周面で情報が現出するようになるため、この包装用容器１を用いてなる商品を正規に購入した購入者は、収容物を食するためにお湯を入れたとき最初に確認することができ、正規の購入者としてその情報を機械読取すればよい。
第二印刷層９のインキは温度が下がって通常の室内温度などに戻るときには通常の温度環境での色彩に再び戻り、第一印刷層８自体の存在が他者に判らないようにしている。勿論、可逆とはせずに変色が一方向反応によるものであってもよい。変色が一方向反応の場合のときも含めて、前記情報を読み取ってキャンペーンサイトにアクセスしたときにサイト運営者側でその情報から得るユニーク値をアクセス済みのユニーク値として情報処理するようにしてもよい。
【００１０】
上記検討技術で示すように、情報隠蔽部５での情報は人の目視による判断では内容を読み取ることのできないパターンとしていることから、店舗陳列に際して仮に人の指先での触覚などで第一印刷層８の存在が判断されたとしても機械読取できない状態であればよいものである。そこで本発明の実施の形態にあっては、情報隠蔽部５は図３に示す構造としている。図３に示す情報隠蔽部５の例では、絵柄印刷層７の上に第二印刷層９を配し、この第二印刷層形成領域内に第一印刷層８を積層している。
第二印刷層９を構成するインキの変色は上記例と同じように、お湯を注ぎ込む前の温度からお湯の注ぎ込みによる加温がなされる容器温度の温度変化によってお湯注ぎ込み前温度での色とは異なる色に変色する。そして、このインキは、お湯を注ぎ込む前の通常の居室内温度などの状態のときに第一印刷層８を構成しているインキの色彩と同色であって、第二印刷層形成領域中で情報に対する機械読取が不能となるように非現出状態としている。また、お湯を紙製容器本体２に注ぎ込んで変色条件である温度以上に昇温したときに、第一印刷層８の色彩とは異なる色彩に変色して第二印刷層形成領域内で情報が現出し、その情報に対する目視が可能で、かつ、機械読取が行なえるようにしているものである。なお、情報隠蔽部５が設けられる絵柄印刷層は情報の機械読取を妨げないものである。
この例の場合も食し終わって情報隠蔽部５の温度が下がれば情報が再び非現出状態となる。勿論、インキの変色反応が加温時に一度だけ一方向に生じる不可逆のものであってもよく、読み取られた情報に基づいてアクセスされるキャンペーンサイト側で最初のアクセスであるか否かの判定処理などで対処すればよい。
【００１１】
上記実施の形態では、情報を機械読取可能なパターンにして備えている第一印刷層８については容器温度が昇温してもその色彩が変化せず、第二印刷層９のインキの方が容器温度が昇温したときに変色するものとしているが、本発明はこの形態に限定されるものではない。例えば、第二印刷層９については容器温度が昇温して情報隠蔽部５が加温された場合でも変色せず、第一印刷層８を形成するインキが容器温度が昇温したときに変色するものとし、その昇温による第一印刷層８のインキの変色によって第二印刷層形成領域中で第一印刷層８での情報が、目視可能で機械読取可能となる状態で現出し、情報隠蔽部５が加温されない場合のように第一印刷層８のインキが変色しないときには第二印刷層形成領域中で第一印刷層８の情報が非現出状態となって、その情報の機械読取が不能となる構成とすることもできる。
【００１２】
上述した実施の形態では情報隠蔽部を絵柄印刷層上に配したが、この絵柄印刷層自体は必ずしも必要とされるものではない。また、情報隠蔽部を紙製容器本体の胴部外周面に配した例を示したが、本発明はこれに限定されるものではなく、容器外表面であれば蓋材や底面板材に設けるようにすることも可能である。
また、実施の形態には液体加温手段として事前に暖められて高い温度となっているお湯が用いられる包装用容器を例示したが、容器内に配される液体加温手段は事前に暖められて高い温度となっているお湯に限定されない。液体加温手段の他例としては容器内に水を入れたのち、容器全体で電子レンジの庫内に入れて電子レンジ加熱（マイクロ波加熱）により水を昇温させてお湯とするものであってもよく、さらには容器内に水を入れたのち、容器全体を電磁誘導加熱器に乗せてその電磁誘導加熱を利用することにより水をお湯とするものであってもよい。なお、このような電磁誘導加熱にて液体加温手段を得るものではその電磁誘導の作用が働いて水をお湯に変える部材を容器内に配するようにすればよい。
【図面の簡単な説明】
【００１３】
【図１】本発明に係る包装用容器の一例を示す説明図である。
【図２】情報隠蔽部の構成を断面で示す説明図である。
【図３】情報隠蔽部の他の構成を断面で示す説明図である。
【符号の説明】
【００１４】
１…包装用容器
２…紙製容器本体
３…蓋材
４…胴部外周面
５…情報隠蔽部
６…胴部材
７…絵柄印刷層
８…第一印刷層
９…第二印刷層
【図１】
0004830529.tif 000002
【図２】
0004830529.tif 000003
【図３】
0004830529.tif 000004